(57)【要約】【課題】  空気が横流ファンの軸方向に案内され、ケースの両側面を通して吐出する構造を有する空気調和機用送風装置を提供する。また、送風量は増大し、流動騷音は低減した状態で空気を吐出する構造を有する空気調和機用送風装置を提供する。【解決手段】  吸入口および吐出口が設けられたケースと、前記ケースの内部に設置された横流ファンと、前記横流ファンの一端に結合されて前記横流ファンを回転する駆動モータとを備えた空気調和機用送風装置であって、前記横流ファンは、前記ケースに横方向に配置され、前記吐出口は、前記ケースの両側面に配置され、前記横流ファンと前記吐出口との間には、前記横流ファンを通過した空気が前記横流ファンの軸方向に流動して前記吐出口に排出されるように案内する案内ユニットが設けられる。【選択図】      図１
2006189235.tif 000002
【特許請求の範囲】
【請求項１】
吸入口および吐出口が設けられたケースと、前記ケースの内部に設置された横流ファンと、前記横流ファンの一端に結合されて前記横流ファンを回転する駆動モータとを備えた空気調和機用送風装置であって、
前記横流ファンは、前記ケースに横方向に配置され、前記吐出口は、前記ケースの両側面に配置され、前記横流ファンと前記吐出口との間には、前記横流ファンを通過した空気が前記横流ファンの軸方向に流動して前記吐出口に排出されるように案内する案内ユニットが設けられたことを特徴とする空気調和機用送風装置。
【請求項２】
前記横流ファンの上部には、前記横流ファンから吐出される空気を前記各吐出口に案内する案内流路が設けられ、前記案内ユニットは、前記横流ファンと前記案内流路との間に設けられた複数の混合防止ガイドと、前記案内流路の略中間地点に設けられたパーティションとを含むことを特徴とする請求項１記載の空気調和機用送風装置。
【請求項３】
前記ケースは、前面ケース部と後面ケース部とが結合され、前記前面ケース部および後面ケース部の下部の両側には、前記横流ファンを安着するための受容部が設けられ、前記パーティションは、前記案内流路を両側に区画するための前面パーティションおよび後面パーティションからなり、前記横流ファンから吐出された空気を、前記各吐出口に両分して流動することを特徴とする請求項２記載の空気調和機用送風装置。
【請求項４】
前記前面パーティションおよび後面パーティションは、前記横流ファンの略中間部分に向かって突出した先端部と、前記各先端部と前記前面ケース部および後面ケース部とを連結する一対の傾斜面とから構成されたことを特徴とする請求項３記載の空気調和機用送風装置。
【請求項５】
前記前面パーティションの一対の傾斜面の間の角度は、ほぼ１２０〜１４０度の範囲にすることを特徴とする請求項４記載の空気調和機用送風装置。
【請求項６】
前記後面パーティションは、前記横流ファンとの隣接部分における前記一対の傾斜面の間の角度をほぼ８０〜９０度の範囲にし、前記後面ケース部の上部との接触部分における前記一対の傾斜面の間の角度をほぼ１３０〜１４０度の範囲にして二段の傾斜面に形成することを特徴とする請求項４記載の空気調和機用送風装置。
【請求項７】
前記複数の混合防止ガイドは、前記後面パーティションの下部から前記横流ファンの吐出部に向かって突出形成されたことを特徴とする請求項３記載の空気調和機用送風装置。
【請求項８】
前記横流ファンは、半径方向に配置された複数の支持板と、前記各支持板の間に配置された複数の羽根部とを備えており、前記混合防止ガイドは、前記各支持板と一直線をなして配置され、前記各羽根部から吐出される空気を前記各混合防止ガイドにより相互混合されないように案内することを特徴とする請求項７記載の空気調和機用送風装置。
【請求項９】
前記複数の混合防止ガイドのうち、前記駆動モータに最も近い部分に位置した混合防止ガイドは、その他の混合防止ガイドよりも前記横流ファンの吐出部に一層近くなるように延長されたことを特徴とする請求項８記載の空気調和機用送風装置。
【請求項１０】
前記前面パーティションの下部と前記横流ファンとの間には、前記横流ファンを吐出部と吸入部とに区画するように、前記横流ファンの軸方向に沿って延長されるスタビライザーが傾斜配置されて空気の流動を安定化することを特徴とする請求項３記載の空気調和機用送風装置。
【請求項１１】
前記スタビライザーは、前記スタビライザーと対向する前記後面ケース部の傾斜面に対し、ほぼ５〜１０度の範囲で広がるように傾斜したことを特徴とする請求項１０記載の空気調和機用送風装置。
【請求項１２】
前記吸入口は、前記ケースの下部に形成され、前記吐出口は、前記ケースの上部の両側面に形成され、前記吸入口には、フィルタが設置されたことを特徴とする請求項１記載の空気調和機用送風装置。
【請求項１３】
下部前面に空気流入口が設けられ、上部両側面に空気流出口が設けられたハウジングと、前記ハウジングの内部に設置された送風装置とを備えた空気調和機であって、
前記送風装置は、吸入口および吐出口が設けられたケースと、前記ケースの内部に設置された横流ファンと、前記横流ファンの一端に設置されて前記横流ファンを回転する駆動モータとを備えており、前記横流ファンは、前記ケースに横方向に配置され、前記吐出口は、前記ケースの両側面に配置され、前記横流ファンを通過した空気は、前記横流ファンの軸方向に流動して前記各吐出口に排出された後、前記ハウジングの両側面に設けられた前記空気流出口に排出されることを特徴とする空気調和機用送風装置。
【発明の詳細な説明】
【技術分野】
【０００１】
本発明は、送風装置に関するもので、詳しくは、送風量は増大し、流動騷音は低減した状態で、空気を横流ファンの軸方向に吐出するように構成された空気調和機用送風装置に関するものである。
【背景技術】
【０００２】
空気調和機は、室内空間において冷房または暖房機能のいずれか一つを行うように構成されるか、冷房および暖房機能の全てを行うように構成されるか、冷房および/または暖房機能と共に空気に含まれた埃および臭いなどを除去するための空気清浄機能を全て行うように構成されており、このような空気調和機では、送風装置により室内空気が空気調和機の内部を通して循環される。また、空気清浄機能のみを行う空気清浄機でも、送風装置により室内空気が浄化される。
【０００３】
前記のように、送風装置は、室内空間を適正温度に維持して室内空気を浄化するための空気調和機または空気清浄機(以下、空気調和機と称する)に設置されることで、室内空気を吸入して空気を調和した後、再び室内に排出する機能をする。
【０００４】
一般に、従来の送風装置は、横流ファンと、この横流ファンが内蔵されるファンケーシングとを備えており、横流ファンの作動により室内空気を吸入して排出するが、横流ファンは、送風装置の内部に横方向に配置され、下部で空気を吸入して上方に排出する。
【０００５】
また、従来の送風装置は、吸入口がファンケーシングの下部に設けられ、吐出口が上部に設けられる構造となっており、この送風装置が設置された空気調和機で調和された空気は、上部前面に吐出される。
【０００６】
このように吐出口が上部に設けられた、従来の送風装置が設置された空気調和機では、空気を横流ファンの上部から横流ファンの軸方向または両側面方向に吐出できないため、多様な構造を有する空気調和機を実現できなくなる。
【０００７】
すなわち、吐出口を送風装置の両側面に配置すると、横流ファンの流動特性上、横流ファンから吐出された空気が送風装置の前面および上面にぶつかるようになり、非正常な渦流が発生するか、空気が流動せずに停滞することで、風量が急減するだけでなく、作動騷音が大いに増大するため、従来の送風装置においては、吐出口が両側面に設けられた構造が不可能であった。
【発明の開示】
【発明が解決しようとする課題】
【０００８】
本発明は、前記のような従来の問題点を解決するためになされたもので、空気が横流ファンの軸方向に案内され、ケースの両側面を通して吐出する構造を有する空気調和機用送風装置を提供することを目的とする。
【０００９】
また、本発明は、送風量は増大し、流動騷音は低減した状態で空気を吐出する構造を有する空気調和機用送風装置を提供することを目的とする。
【課題を解決するための手段】
【００１０】
このような目的を達成するために、本発明は、吸入口および吐出口が設けられたケースと、前記ケースの内部に設置された横流ファンと、前記横流ファンの一端に結合されて前記横流ファンを回転する駆動モータとを備えた空気調和機用送風装置であって、前記横流ファンは、前記ケースに横方向に配置され、前記吐出口は、前記ケースの両側面に配置され、前記横流ファンと前記吐出口との間には、前記横流ファンを通過した空気が前記横流ファンの軸方向に流動して前記吐出口に排出されるように案内する案内ユニットが設けられたことを特徴とする。
【００１１】
前記横流ファンの上部には、前記横流ファンから吐出される空気を前記各吐出口に案内する案内流路が設けられ、前記案内ユニットは、前記横流ファンと前記案内流路との間に設けられた複数の混合防止ガイドと、前記案内流路の略中間地点に設けられたパーティションとを含むことを特徴とする。
【００１２】
前記ケースは、前面ケース部と後面ケース部とが結合され、前記前面ケース部および後面ケース部の下部の両側には、前記横流ファンを安置するための受容部が設けられ、前記パーティションは、前記案内流路を両側に区画するための前面パーティションと後面パーティションとからなり、前記横流ファンから吐出された空気を、前記各吐出口に両分して流動することを特徴とする。
【００１３】
前記前面パーティションおよび後面パーティションは、前記横流ファンの略中間部分に向かって突出した先端部と、前記各先端部と前記前面ケース部および後面ケース部とを連結する一対の傾斜面とから構成されたことを特徴とする。
【００１４】
好ましくは、前記前面パーティションの一対の傾斜面の間の角度は、ほぼ１２０〜１４０度の範囲にすることを特徴とする。
【００１５】
好ましくは、前記後面パーティションは、前記横流ファンとの隣接部分における前記一対の傾斜面の間の角度をほぼ８０〜９０度の範囲にし、前記後面ケース部の上部との接触部分における前記一対の傾斜面の間の角度をほぼ１３０〜１４０度の範囲にして二段の傾斜面に形成することを特徴とする。
【００１６】
前記複数の混合防止ガイドは、前記後面パーティションの下部から前記横流ファンの吐出部に向かって突出形成されたことを特徴とする。
【００１７】
前記横流ファンは、半径方向に配置された複数の支持板と、前記各支持板の間に配置された複数の羽根部とを備えており、前記混合防止ガイドは、前記各支持板と一直線をなして配置され、前記各羽根部から吐出される空気を前記各混合防止ガイドにより相互混合されないように案内することを特徴とする。
【００１８】
好ましくは、前記複数の混合防止ガイドのうち、前記駆動モータに最も近い部分に位置した混合防止ガイドは、その他の混合防止ガイドよりも前記横流ファンの吐出部に一層近くなるように延長されたことを特徴とする。
【００１９】
前記前面パーティションの下部と前記横流ファンとの間には、前記横流ファンを吐出部と吸入部とに区画するように、前記横流ファンの軸方向に沿って延長されるスタビライザーが傾斜配置されて空気の流動を安定化することを特徴とする。
【００２０】
好ましくは、前記スタビライザーは、前記スタビライザーと対向する前記後面ケース部の傾斜面に対し、ほぼ５〜１０度の範囲で広がるように傾斜したことを特徴とする。
【００２１】
前記吸入口は、前記ケースの下部に形成され、前記吐出口は、前記ケースの上部の両側面に形成され、前記吸入口には、フィルタが設置されたことを特徴とする。
【発明の効果】
【００２２】
本発明による空気調和機用送風装置は、横流ファンから吐出される空気を、送風量が減少するか流動騷音が増大しないように横流ファンの軸方向に案内し、ケースの両側面に設けられた吐出口に排出する構造を有するため、空気調和機の構造を多様に実現することで、空気調和機の両側面から空気を円滑に排出できるという効果がある。
【発明を実施するための最良の形態】
【００２３】
以下、本発明の実施の形態を図面に基づいて説明する。
【００２４】
図１は、本発明による空気調和機用送風装置を示した分解斜視図であり、図２は、本発明による空気調和機用送風装置を示した縦断面図であり、図３は、本発明による空気調和機用送風装置を示した側断面図である。
【００２５】
本発明による空気調和機用送風装置(以下、送風装置と称する)は、前面ケース部２０および後面ケース部３０が結合形成されたケース１０と、このケース１０の内部に設置される横流ファン４０と、空気の流動を案内するために、ケース１０の内部に設けられた前後面パーティション５０，６０および混合防止ガイド３２，３３からなる案内ユニットとを備えている。
【００２６】
前面ケース部２０および後面ケース部３０の下部には、吸入口１１が形成され、前面ケース部２０および後面ケース部３０の上部の両側面には、一対の吐出口１２，１３が形成される。
【００２７】
前面ケース部２０および後面ケース部３０の下部には、横流ファン４０をそれぞれ安着するために、吸入口１１と連通されて横方向に長く形成された受容部２１，３１が設けられ、各受容部２１，３１の上部には、横流ファン４０を通過した空気を一対の吐出口１２，１３に案内するための案内流路１４が形成される。
【００２８】
また、吸入口１１には、ケース１０の内部に流入される空気から埃を濾過するための一対のフィルタ１５がスライド方式で結合される。
【００２９】
前記のように、本発明による送風装置は、横方向に長く形成されたケース１０の内部に横流ファン４０が横方向に配置され、吸入口１１がケース１０の下部に設けられ、一対の吐出口１２，１３がケース１０の上部の両側面に設けられる構造であり、横流ファン４０によりケース１０の下部で吸入された空気は、案内流路１４を通してケース１０の両側面に排出される。
【００３０】
このように、本発明による送風装置は、空気が上向きから両側面に流動する流路構造を有するため、空気が横流ファン４０から吐出される過程で、渦流または停滞現象が発生しえるが、このような渦流および停滞の発生を防止し、空気が各吐出口１２，１３に円滑に流動するように、ケース１０の内部には、前後面パーティション５０，６０および混合防止ガイド３２，３３からなる案内ユニットが設けられる。
【００３１】
すなわち、案内流路１４には、前面ケース部２０から突出した前面パーティション５０および後面ケース部３０から突出した後面パーティション６０が設けられ、横流ファン４０から吐出される空気は、ケース１０の両側面に設けられた吐出口１２，１３に両分されて流動される。この前面パーティション５０および後面パーティション６０により、横流ファン４０の上部に設けられた案内流路１４が左右側に両分され、横流ファン４０から吐出される空気は、両分されて各吐出口１２，１３に流動される。
【００３２】
前面パーティション５０は、横流ファン４０の上部から横流ファン４０の中間部分に向かって突出した先端部５１と、この先端部５１と前面ケース部２０とを連結する一対の傾斜面５２とから構成され、略楔状をなしている。
【００３３】
また、後面パーティション６０は、横流ファン４０の上部から横流ファン４０の中間部分に向かって突出した先端部６１と、この先端部６１と後面ケース部３０とを連結する一対の傾斜面６２とから構成され、略楔状をなしている。
【００３４】
ここで、横流ファン４０から通過する空気が各吐出口１２，１３に両分されて円滑に流動するように、前面パーティション５０の一対の傾斜面５２の間の角度θ１は、略１２０〜１４０度の範囲にし、後面パーティション６０は、横流ファン４０との隣接部分における一対の傾斜面６２の間の角度θ２を略８０〜９０度の範囲にし、後面ケース部３０の上部との接触部分における一対の傾斜面６２の間の角度θ３を略１３０〜１４０度の範囲にすることで、二段の傾斜面に形成することが好ましい。
【００３５】
また、横流ファン４０の横方向長さにかけて吐出される空気が相互混合されずに、上部の案内流路１４に流動するように、後面パーティション６０の下部には、横流ファン４０の吐出部(横流ファンの上部)に向かって延長された複数の混合防止ガイド３２，３３が突出形成される。この混合防止ガイド３２，３３は、横流ファン４０の円周方向に沿って突出され、後面ケース部３０において傾斜面３４に形成される。
【００３６】
横流ファン４０は、半径方向に配置された複数の支持板４１と、各支持板４１の間に配置された複数の羽根部４２とを備えており、横流ファン４０の一端には駆動モータ４３が結合され、混合防止ガイド３２，３３は、各支持板４１と一直線をなして配置され、横流ファン４０の各羽根部４２から吐出される空気が各混合防止ガイド３２，３３の間に沿って上向きに流動することで、各羽根部４２から吐出される空気は、相互混合されないように案内される。
【００３７】
一方、複数の混合防止ガイド３２，３３のうち、駆動モータ４３に最も近い側に位置した混合防止ガイド３２は、その他の混合防止ガイド３３よりも横流ファン４０の吐出部に一層近くなるように延長し、駆動モータ４３に最も近い羽根部４２から吐出される空気は、他の羽根部４２から吐出される空気よりも小さく拡散された状態で案内流路１４に流動される。
【００３８】
これは、駆動モータ４３に近い側では、吐出される空気の量が他の側よりも少なく、空気の撹乱現象が大きく発生することを勘案したものであり、このために、駆動モータ４３に最も近い側に位置した支持板４１ａと横流ファン４０の一端との間の間隔Ｌ１は，他の部分に位置した各支持板４１の間の間隔Ｌ２の半分にすることで、空気の撹乱による騷音の発生を最大限に抑制する。
【００３９】
また、前面パーティション５０の下部と横流ファン４０との間には、横流ファン４０を吐出部と吸入部(横流ファンの下部)とに区画するように、横流ファン４０の軸方向に沿って延長されるスタビライザー２２が傾斜配置される。
【００４０】
横流ファン４０は、このスタビライザー２２により空気の吸入部と吐出部とに分離されるため、横流ファン４０から吐出される空気は、横流ファン４０に再び吸入されなくなって空気の流動が安定化される。
【００４１】
スタビライザー２２は、このスタビライザー２２と対向する後面ケース部３０の傾斜面３４に対し、略５〜１０度の範囲の角度θ４で広がるように傾斜することで、横流ファン４０から吐出される空気は、案内流路１４に円滑に流動するようになる。
【００４２】
前記のように構成された本発明による送風装置は、横流ファン４０が作動すると、空気は、ケース１０の下部に設けられた吸入口１１を通してケース１０の内部に流入され、横流ファン４０の各支持板４１，４１ａの間に配置された各羽根部４２，４２ａを通過するようになる。
【００４３】
各羽根部４２，４２ａを通過した空気は、混合防止ガイド３２，３３の間で上向きに案内され、相互混合されない状態で案内流路１４に流動するようになり、前面パーティション５０および後面パーティション６０によりケース１０の両側面に設けられた各吐出口１２，１３に両分されて流動することで、ケース１０の外部に吐出される。
【００４４】
このようにケース１０の下部を通して流入された空気は、混合防止ガイド３２，３３および前後面パーティション５０，６０により効果的に案内され、横流ファン４０の軸方向に沿って流動するようになり、送風量は増大する反面、流動騷音は低減した状態でケース１０の両側面を通して排出される。
【００４５】
また、図示してないが、下部前面に空気流入口が、上部両側面に空気流出口が設けられたハウジングを備えた空気調和機において、送風装置がハウジングの内部に設置されると、空気調和機の空気流入口および送風装置の吸入口１１を経て横流ファン４０を通過した空気は、横流ファン４０の軸方向に流動して送風装置の各吐出口１２，１３に排出された後、空気調和機の両側面に設けられた空気流出口に排出される。
【図面の簡単な説明】
【００４６】
【図１】本発明による空気調和機用送風装置を示した分解斜視図である。
【図２】本発明による空気調和機用送風装置を示した正断面図である。
【図３】本発明による空気調和機用送風装置を示した側断面図である。
【符号の説明】
【００４７】
１０  ケース
１１  吸入口
１２，１３  吐出口
２０  前面ケース部
２２  スタビライザー
３０  後面ケース部
３２，３３  混合防止ガイド
４０  横流ファン
５０  前面パーティション
６０  後面パーティション
【図１】
2006189235.tif 000003
【図２】
2006189235.tif 000004
【図３】
2006189235.tif 000005